(57)【要約】【課題】敷布団の製造の手間を軽減しながら、底打ち感を生じさせない体圧分散に適した複数の凸部が有するようにし、良好な就寝姿勢が得られる敷布団を得る。【解決手段】布団厚さ方向に貫通した糸にて上生地２と下生地２とが近接するように綴じた点状の綴じ部７を略等間隔にして複数箇所に設け、上下生地２の綴じ部７側への引き込みを伴った布団厚さ方向の中心側への上下生地２による挟み込みで綿層３とウレタンフォーム層４とを圧縮し、該圧縮に抗した綿層３とウレタンフォーム層４との両方の反力により外方に向けて凸となる膨出形状の複数の凸部８が布団上下面に位置し、隣り合う綴じ部７を結ぶ線上に位置する谷形状部９を介して前記凸部８を並設した。【選択図】    図２
0003107133.tif 000002
【実用新案登録請求の範囲】
【請求項１】
上下の生地の間に、布団厚さ方向に綿層とウレタンフォーム層と綿層との順に積層された充填物が配置され、布団厚さ方向に貫通した糸にて上生地と下生地とが近接するように綴じた点状の綴じ部を略等間隔にして複数箇所に設け、上下生地の綴じ部側への引き込みを伴った布団厚さ方向の中心側への上下生地による挟み込みで前記綿層とウレタンフォーム層とが圧縮され、該圧縮に抗した綿層とウレタンフォーム層との両方の反力により外方に向けて凸となる膨出形状の複数の凸部が布団上下面に位置し、隣り合う綴じ部を結ぶ線上に位置する谷形状部を介して前記凸部が並設されていることを特徴とする敷布団。
【考案の詳細な説明】
【技術分野】
【０００１】
本考案は敷布団に関するものである。
【背景技術】
【０００２】
従来から、敷布団などにおいては身体が接する面側に複数の凸部を設けて就寝姿勢時での体圧分散が行なえるようにすることが考慮されている。そして、身体が接する面自体が複数の凸部を形成した敷布団を得るために、事前に上下の生地を複数個所で綴じて区画を形成し、その区画それぞれに丸めた綿などの充填物を配置する工夫が提案されている（例えば、特許文献１参照）。
【特許文献１】特開２００３−３１０３９０公報（段落番号００１７、図１）
【考案の開示】
【考案が解決しようとする課題】
【０００３】
しかしながら、上述したように予め形成された区画それぞれに丸めた充填物を詰める形態のものでは、敷布団の製造の手間を要しコストを引き上げる要因となる。また、隣り合う凸部の間には充填物が存在しないため、就寝姿勢を取ったときにゴロ付き感や段付き感が生じるという問題がある。
一方、上下の生地の間に充填物として綿材を配した後に複数個所で上下の生地を綴じるようにすることで複数の凸部の形成を行なうことも考えられるが、通常の取り扱いが行える厚さの敷布団とした場合、身体を受ける部分での支持力に乏しくなっており、使用時に底打ち感を生じさせるという不都合があり、数多くの凸部で身体を支えて体圧分散を行なうという効果は発揮しないものとなってしまう。
そこで本考案は上記事情に鑑み、敷布団の製造の手間を軽減しながら、底打ち感を生じさせない体圧分散に適した複数の凸部が有するようにすることを課題とし、良好な就寝姿勢が得られる敷布団を得ることを目的とする。
【課題を解決するための手段】
【０００４】
本考案は上記課題を考慮してなされたもので、上下の生地の間に、布団厚さ方向に綿層とウレタンフォーム層と綿層との順に積層された充填物が配置され、布団厚さ方向に貫通した糸にて上生地と下生地とが近接するように綴じた点状の綴じ部を略等間隔にして複数箇所に設け、上下生地の綴じ部側への引き込みを伴った布団厚さ方向の中心側への上下生地による挟み込みで前記綿層とウレタンフォーム層とが圧縮され、該圧縮に抗した綿層とウレタンフォーム層との両方の反力により外方に向けて凸となる膨出形状の複数の凸部が布団上下面に位置し、隣り合う綴じ部を結ぶ線上に位置する谷形状部を介して前記凸部が並設されていることを特徴とする敷布団を提供して、上記課題を解消するものである。
【考案の効果】
【０００５】
本考案によれば、構造が簡単であり製造コストを引き上げることなく体圧分散に適した複数の凸部を並設状態にして設けた敷布団が得られるようになる。また、生地下に綿層が位置し、その下にウレタンフォーム層が位置する構成であるるため、就寝姿勢を取ったときに凸部それぞれから身体側への反発感が軽減されて綿層によりソフトが感触となるとともに、ウレタンフォーム層によって底打ち感を生じさず、良好な寝心地が得られるようになるなど、実用性に優れた効果を奏するものである。
【考案を実施するための最良の形態】
【０００６】
つぎに本考案を図示の実施の形態に基づいて詳細に説明する。
図中１は敷布団で、該敷布団１にあっては図２に示されているように、敷布団１の外表面を構成している上下の生地２の間に、布団厚さ方向にして綿層３とウレタンフォーム層４と綿層３との順に積層された充填物５が配置されている。前記充填物５は前述したように上下の綿層３でウレタンフォーム層４をサンドイッチ状に挟み込んだものであり、ウレタンフォーム層４は厚さ一定とされ、また上下の綿層３も基本厚さが一定となるように設けられたものであり、充填物５自体の基本厚さは略一定となるように設定されているものである。また、綿層３はポリエステル綿を素材としてなるものであり、取り扱いを容易にするために通気性の良好な内袋６に前記ポリエステル綿を入れたものとしている。なお、前記内袋６は必ずしも必要とされるものではない。
【０００７】
そして、上下の生地２の間に上記充填物５を配置した本敷布団１では、布団上下面に同じ位置にし、複数個所に略等間隔にして綴じ部７が設けられている。前記綴じ部７それぞれは、布団厚さ方向に貫通した糸にて上生地と下生地とが近接するように綴じて布団を上面や下面から見た状態で点状としたものである。図２（イ）は敷布団１の製造途中の状態を示し、図２（ロ）は（イ）と同位置において綴じ部７を設けた状態を示しており、この綴じ部７を設けることで、布団上下面に外方に向けて凸となる膨出形状の複数の凸部８を形成している。
凸部８は、上下生地２の綴じ部７側への引き込みを伴った布団厚さ方向の中心側への上下生地２による挟み込みで綿層３とウレタンフォーム層４とが圧縮され、その圧縮の圧力に抗した綿層３とウレタンフォーム層４との両方の反力Ｆにより、前述したように外方に向けて凸となる膨出形状となるようにしたものである。このように凸部８それぞれは綿層３とウレタンフォーム層４とにおいて外方に向けて反力を生じさせた状態のものであるため、体を乗せることで初めて反力が生じる従来のものに比べて底打ち感がなく、また体が接する側に綿層３が位置するため接する感触がソフトな感触が得られる凸部８となっている。
【０００８】
さらに、隣り合う凸部８は、隣り合う上記綴じ部７を結ぶ線上に位置する谷形状部９を介して並設されていて、複数の凸部８が密に並んで就寝姿勢を取った身体を体圧分散した状態で支持するようにしており、身体の一部分が過度に落ち込むにようになるのを防止し、床擦れも生じ難くなるように設けられているものである。
なお、綴じ部７及びその周囲、そして上記谷形状部９にあっても充填物５が位置している部分であり、外方に向けて反力を生じさせており、就寝姿勢の身体を充分に支えることができる部分である。
【図面の簡単な説明】
【０００９】
【図１】本考案に係る敷布団を示す説明図である。
【図２】断面を示すもので、（イ）は綴じ部を設ける前の状態を断面で示す説明図、（ロ）は（イ）と同位置において綴じ部を設けた状態を断面で示す説明図である。
【符号の説明】
【００１０】
１…敷布団
２…生地
３…綿層
４…ウレタンフォーム層
５…充填物
６…内袋
７…綴じ部
８…凸部
９…谷形状部
Ｆ…反力
【図１】
0003107133.tif 000003
【図２】
0003107133.tif 000004